(57)【特許請求の範囲】
【請求項１】
一組のデータ・トーンを変調することによって直交周波数分割多重化（ＯＦＤＭ）伝送のためのデータを符号化すること、
符号化データから一組のビットを取除くために前記符号化データを間引きパターンで間引くこと、を有し、ここで前記符号化データから一組のビットを取除くために前記符号化データを間引きパターンで間引くことは、
基本間引きパターンの上位集合を有する適格な間引きパターンを生成すること、及び
前記符号化データを前記適格な間引きパターンで間引くことを含み、そして
間引き符号化データを伝送すること、ここで前記間引き符号化データの一部はデータ・トーンの集合から分離した一組の保護トーンの少なくとも一部を変調することによって伝送される、を含み、
前記基本間引きパターンの上位集合を有する適格な間引きパターンを生成することは、
一以上の間引きパターンに関する自由距離及び最近傍プロフィールの少なくとも一つを決定すること、及び
決定に基づいて間引きパターンを適格な間引きパターンとして選択することを含む、無線通信のための方法。
【請求項２】
前記間引き符号化データの一部は間引きを介して前記符号化データから除去されたシンボルを含む、請求項１記載の方法。
【請求項３】
前記基本間引きパターンは第一の所定間引き率に対応する、そして
前記適格な間引きパターンは前記第一の所定間引き率より少ない第二の所定間引き率に対応する、請求項１記載の方法。
【請求項４】
一組のデータ・トーンを変調することによって直交周波数分割多重化（ＯＦＤＭ）伝送のためのデータを符号化するための符号化器、
符号化データから一組のビットを取除くために前記符号化データを間引きパターンで間引くためのデバイス、ここで前記符号化データから一組のビットを取除くために前記符号化データを間引きパターンで間引くための前記デバイスは、
基本間引きパターンの上位集合を有する適格な間引きパターンを生成するための生成器；及び
前記符号化データを前記適格な間引きパターンで間引くための回路を含み、そして
間引き符号化データを伝送するための送信器、ここで前記間引き符号化データの一部はデータ・トーンの集合から分離した一組の保護トーンの少なくとも一部を変調することによって伝送される、を具備し、
前記基本間引きパターンの上位集合を有する適格な間引きパターンを生成するための生成器は、
一以上の間引きパターンに関する自由距離及び最近傍プロフィールの少なくとも一つを決定するためのデバイス、及び
決定に基づいて間引きパターンを適格な間引きパターンとして選択するための選択器を含む、無線通信のための装置。
【請求項５】
前記間引き符号化データの一部は間引きを介して前記符号化データから除去されたシンボルを含む、請求項４記載の装置。
【請求項６】
前記基本間引きパターンは第一の所定間引き率に対応する、そして
前記適格な間引きパターンは前記第一の所定間引き率より少ない第二の所定間引き率に対応する、請求項４記載の装置。
【請求項７】
一組のデータ・トーンを変調することによって直交周波数分割多重化（ＯＦＤＭ）伝送のためのデータを符号化するための手段、
符号化データから一組のビットを取除くために前記符号化データを間引きパターンで間引くための手段、ここで前記符号化データから一組のビットを取除くために前記符号化データを間引きパターンで間引くための手段は、
基本間引きパターンの上位集合を有する適格な間引きパターンを生成するための手段、及び
前記符号化データを前記適格な間引きパターンで間引くための手段を含み、そして
間引き符号化データを伝送するための手段、ここで前記間引き符号化データの一部はデータ・トーンの集合から分離した一組の保護トーンの少なくとも一部を変調することによって伝送される、を具備し、
前記基本間引きパターンの上位集合を有する適格な間引きパターンを生成するための手段は：
一以上の間引きパターンに関する自由距離及び最近傍プロフィールの少なくとも一つを決定するための手段；及び
決定に基づいて間引きパターンを適格な間引きパターンとして選択するための手段を含む、無線通信のための装置。
【請求項８】
前記間引き符号化データの一部は間引きを介して符号化データから除去されたシンボルを含む、請求項７記載の装置。
【請求項９】
前記基本間引きパターンは第一の所定間引き率に対応する、そして
前記適格な間引きパターンは前記第一の所定間引き率より少ない第二の所定間引き率に対応する、請求項７記載の装置。
【請求項１０】
コンピューター可読記録媒体であって、命令を格納しており、前記命令が、コンピューターによって実行される場合、前記コンピューターに、
一組のデータ・トーンを変調することによって直交周波数分割多重化（ＯＦＤＭ）伝送のためのデータを符号化すること、
符号化データから一組のビットを取除くために前記符号化データを間引きパターンで間引くこと、ここで前記符号化データから一組のビットを取除くために符号化データを間引きパターンで間引くことは、
基本間引きパターンの上位集合を有する適格な間引きパターンを生成すること、及び
前記符号化データを前記適格な間引きパターンで間引くことを
含み、そして
間引き符号化データを伝送すること、ここで前記間引き符号化データの一部はデータ・トーンの集合から分離した一組の保護トーンの少なくとも一部を変調することによって伝送される、
を実行させる命令であり、
前記基本間引きパターンの上位集合を有する適格な間引きパターンを生成することは、
一以上の間引きパターンに関する自由距離及び最近傍プロフィールの少なくとも一つを決定すること、及び
決定に基づいて間引きパターンを適格な間引きパターンとして選択すること
を含む、コンピューター可読記録媒体。
【請求項１１】
少なくとも一つのアンテナ、
一組のデータ・トーンを変調することによって直交周波数分割多重化（ＯＦＤＭ）伝送のためにデータを符号化するための符号化器、
符号化データから一組のビットを取除くために前記符号化データを間引きパターンで間引くためのデバイス、ここで前記符号化データから一組のビットを取除くために符号化データを間引きパターンで間引くためのデバイスは、
基本間引きパターンの上位集合を有する適格な間引きパターンを生成するための生成器；及び
前記符号化データを適格な前記間引きパターンで間引くための回路を含み、そして
前記少なくとも一つのアンテナを介して間引き符号化データを伝送するための送信器、ここで前記間引き符号化データの一部はデータ・トーンの集合から分離した一組の保護トーンの少なくとも一部を変調することによって伝送される、を具備し、
前記基本間引きパターンの上位集合を有する適格な間引きパターンを生成するための生成器は、
一以上の間引きパターンに関する自由距離及び最近傍プロフィールの少なくとも一つを決定するためのデバイス、及び
決定に基づいて間引きパターンを適格な間引きパターンとして選択するための選択器を含む、無線通信のための無線ノード。
【発明の詳細な説明】
【技術分野】
【０００１】
３５Ｕ．Ｓ．Ｃ．§１１９に基づく優先権の主張
本特許出願は２００８年３月１４日に出願され、これに関して譲請人に譲渡され、且つ引例によりここに特に組込まれる仮米国特許出願番号第６１/０３６，８４９号の便益を要求する。
【０００２】
本開示は一般に多周波帯（マルチバンド）ＯＦＤＭ（直交周波数分割多重化）通信システムのような無線通信システムに関係する。特に、本開示はデータ・トーン上でＷｉＭｅｄｉａデータ・フローを保持しながら保護トーン（guard tones）上で逆間引き（depunctured）ビットを使用することによってデータ転送率（data rates）及びシステム信頼性（system robustness）を増大させる方法に関係する。
【背景技術】
【０００３】
従来の直列データ・システムでは、シンボルは全体の帯域幅を占有することを許された各データ・シンボルの周波数スペクトルに関して連続的に伝送される。並行データ伝送システムはいくつかのデータの連続ストリームが同時に伝送されるものである。並行システムでは、個々のデータ要素のスペクトルは利用可能な帯域幅の小部分をただ占有するにすぎない。
【０００４】
古典的な並行データ・システムでは、全体の信号周波数帯域はＮ個の重畳周波数サブチャネルに分割される。各サブチャネルは個別のシンボルによって変調される。そのサブチャネルはそこで多重化される。
【０００５】
直交信号は相関技術を使用し、シンボル間干渉を取除くことによって受信器で分離される。これはキャリア間隔を有効シンボル期間の逆数に等しくするためにキャリア間隔を注意深く選択することによって達成され。直交周波数分割多重化（ＯＦＤＭ）は多数キャリア変調の一形式であり、そこではキャリア間隔は各サブキャリアが他のサブキャリアに直交するように選択される。
【０００６】
この直交性は隣接チャネル干渉を回避し、そして復調器がそれら自身以外の周波数を認めるのを防止する。ＯＦＤＭの効用は高いスペクトル効率、無線周波（ＲＦ）干渉への弾力性、及び低いマルチパス歪みである。
【０００７】
ＯＦＤＭでは、伝送のために使用されるサブキャリア・パルスは長方形（矩形波）が選ばれる。このことはパルス成形及び変調の作業（タスク）が逆高速フーリエ変換（ＩＦＦＴ）として非常に効率的に実施される逆離散フーリエ変換（ＩＤＦＴ）によって行われる利点がある。従って、受信器はこの操作を逆にするのにＦＦＴをただ必要とするにすぎない。
【０００８】
入力直列データは最初に直列から並列に変換され、そして複素数を形成するためにそれぞれｘビットにグループ化される。数ｘは１６直交振幅変調（Quadrature Amplitude Modulation）といった対応サブキャリアの信号星座（信号配置）（signal constellation）を決定する。複素数はＩＦＦＴによってベースバンド方式で変調され、そして伝送のために直列データに戻される。保護シンボル（guard symbol）はマルチパス歪みによって引起こされるシンボル間干渉（inter-symbol interference ：ＩＳＩ）を回避するためにシンボルの間へ挿入される。個別シンボルは無線周波数（ＲＦ）上位変換のためにアナログに変換され、ローパス濾波される。受信器はそこで送信器の逆の処理を単に行う。
【０００９】
フーリエ変換の定理によると、図１に例示したように、長方形パルス形状はサブキャリアのスペクトルのｓｉｎ（ｘ）/ｘ形式に通じる。サブキャリアのスペクトルは重畳する。キャリア上で伝送された情報が分離される理由は直交性の関係である。変調にＩＦＦＴを使用することによって、サブキャリアの間隔は受信信号が評価される（図１において文字Ａ〜Ｅで示される）周波数において全ての他の信号がゼロになるように選択される。
【００１０】
パケット通信システムでは、通信されるデータは最初にデータのパケットにパケット化され、そしてそのデータ・パケットは一旦形成されると、時々不連続な間隔で通信される。一旦、受信局に配送されると、データの情報内容はパケットの情報部分を共に連結することによって確認される。通信チャネルはデータ・パケットが伝達される期間の間のみに特定の通信セッションに従ってのみ割当てられる必要があるので、パケット通信システムは一般に通信チャネルの効率的な使用を行う。場合によっては、パケット通信チャネルは個別の通信サービスが同時に行われる通信局の個別の集合によって共有される共有通信チャネルである。
【００１１】
構造化データ・フォーマットは動作仕様の現在の公布資料に示されている。超広帯域ＷｉＭｅｄｉａまたはＥＣＭＡ-３６８/３６９といった規格に従って形成されたデータ・パケットのデータ・フォーマットはプリアンブル部分及びペイロード部分を含む。他のパケット通信システムはプリアンブル部分及びペイロード部分を含むパケットにデータを類似的にフォーマットする。パケットのペイロード部分は通信されるべき情報を含む。即ち、ペイロード部分は非決定的である。逆に、データ・パケットのプリアンブル部分は通信されるべき情報内容を含まないが、むしろ、他の目的のために使用される決定性データを含む。特に、ＷｉＭｅｄｉａのプリアンブル部分またはＥＣＭＡ-３６８/３６９パケット・プリアンブルは三つの部分：パケット同期化系列、フレーム同期化系列、及びチャネル推定系列を含む。パケット同期化系列及びフレーム同期化系列は２４個のＯＦＤＭシンボルの長さがあり、そしてチャネル推定系列は６個のＯＦＤＭシンボルの長さがある。合計して、その系列は９，３７５マイクロ秒の時間長がある。
【００１２】
ＷｉＭｅｄｉａ ＰＨＹ層内では、実施は基本変調技術としてＯＦＤＭを使用する。その核心において、それは１２８個の固有の周波数ビン（bin）、または「トーン（tones）」を使用し、そこでそれは情報を変調する。これらの１２８個のトーンのうち、６個は情報を伝えないＮＵＬＬトーンであり、１２個はトラッキングのために使用されるデータを含むパイロット・トーンであり、１００個はパケット・ペイロードを運ぶデータ・トーンであり、そして１０個の保護トーンがある。
【００１３】
しかしながら、ＯＦＤＭ伝送データ率を増大させ、且つシステム信頼性を改善する継続的要求がある。
【発明の概要】
【００１４】
或る形態は無線通信システムにおいてデータ転送率（data rates）を増大させ、且つ信頼性（robustness）を改善するための方法を提供する。その方法は一般に無線直交周波数分割多重化（ＯＦＤＭ）信号について保護トーンのセットを確認(identifying)すること、ＯＦＤＭ伝送のためのデータを符号化すること、符号化データを間引く（puncture）ために好ましい間引きパターンを確認 (identifying) すること、好ましい間引きパターンによって符号化データを間引くこと、そして間引き符号化データを伝送することを含み、そこでは間引き符号化データの一部は保護トーンのセットの一部分の上で伝送される。
【００１５】
或る形態は無線通信の方法を提供する。その方法は一般に一組のデータ・トーンを使用して直交周波数分割多重化（ＯＦＤＭ）伝送のためにデータを符号化すること、符号化データから一組のビットを取除くために間引きパターンによって符号化データを間引くこと、間引き符号化データを伝送することを含み、そこでは間引き符号化データの一部はデータ・トーンの集合から離れた一組の保護トーンの少なくとも一部を使用して伝送される。
【００１６】
或る形態は無線通信システムにおいてデータ転送率を増大させ、且つ信頼性を改善するための装置を提供する。その装置は一般に無線直交周波数分割多重化（ＯＦＤＭ）信号について一組の保護トーンを確認する識別器、ＯＦＤＭ伝送のためのデータを符号化する符号化器、符号化データを間引くために好ましい間引きパターンを確認する識別器、好ましい間引きパターンによって符号化データを間引くデバイス、そして間引き符号化データを伝送する送信器を含み、そこでは間引き符号化データの一部は保護トーンの集合の一部分の上で伝送される。
【００１７】
或る形態は無線通信のための装置を提供する。その装置は一般に一組のデータ・トーンを使用して直交周波数分割多重化（ＯＦＤＭ）伝送のためにデータを符号化する符号化器、符号化データから一組のビットを取除くために間引きパターンによって符号化データを間引くデバイス、間引き符号化データを伝送する送信器を含み、そこでは間引き符号化データの一部はデータ・トーンの集合から離れた一組の保護トーンの少なくとも一部を使用して伝送される。
【００１８】
或る形態は無線通信システムにおいてデータ転送率を増大させ、且つ信頼性を改善するための装置を提供する。その装置は一般に無線直交周波数分割多重化（ＯＦＤＭ）信号について一組の保護トーンを確認するための手段、ＯＦＤＭ伝送のためのデータを符号化するための手段、符号化データを間引くために好ましい間引きパターンを確認するための手段、好ましい間引きパターンによって符号化データを間引くための手段、そして間引き符号化データを伝送するための手段を含み、そこでは間引き符号化データの一部は保護トーンの集合の一部分の上で伝送される。
【００１９】
或る形態は無線通信のための装置を提供する。その装置は一般に一組のデータ・トーンを使用して直交周波数分割多重化（ＯＦＤＭ）伝送のためにデータを符号化するための手段、符号化データから一組のビットを取除くために間引きパターンによって符号化データを間引くための手段、間引き符号化データを伝送するための手段を含み、そこでは間引き符号化データの一部はデータ・トーンの集合から離れた一組の保護トーンの少なくとも一部を使用して伝送される。
【００２０】
或る形態は無線通信システムにおいてデータ転送率を増大させ、且つ信頼性を改善するためのコンピューター・プログラム製品を提供する。コンピューター・プログラム製品は無線直交周波数分割多重化（ＯＦＤＭ）信号について一組の保護トーンを確認するため、ＯＦＤＭ伝送のためのデータを符号化するため、符号化データを間引くために好ましい間引きパターンを確認するため、好ましい間引きパターンによって符号化データを間引くため、そして間引き符号化データを伝送するために実行可能な命令によって符号化されたコンピューター可読メディアを含み、そこでは間引き符号化データの一部は保護トーンの集合の一部分の上で伝送される。
【００２１】
或る形態は無線通信のためのコンピューター・プログラム製品を提供する。コンピューター・プログラム製品は一組のデータ・トーンを使用して直交周波数分割多重化（ＯＦＤＭ）伝送のためにデータを符号化するため、符号化データから一組のビットを取除くために間引きパターンによって符号化データを間引くため、間引き符号化データを伝送するために実行可能な命令によって符号化されたコンピューター可読メディアを含み、そこでは間引き符号化データの一部はデータ・トーンの集合から離れた一組の保護トーンの少なくとも一部を使用して伝送される。
【００２２】
或る形態は無線通信システムにおいてデータ転送率を増大させ、且つ信頼性を改善するための無線ノードを提供する。無線ノードは一般に少なくとも一つのアンテナ、無線直交周波数分割多重化（ＯＦＤＭ）信号について一組の保護トーンを確認する識別器、ＯＦＤＭ伝送のためのデータを符号化する符号化器、符号化データを間引くために好ましい間引きパターンを確認する識別器、好ましい間引きパターンによって符号化データを間引くデバイス、そして間引き符号化データを伝送する送信器を含み、そこでは間引き符号化データの一部は保護トーンの集合の一部分の上で伝送される。
【００２３】
或る形態は無線通信のための無線ノードを提供する。無線ノードは一般に少なくとも一つのアンテナ、一組のデータ・トーンを使用して直交周波数分割多重化（ＯＦＤＭ）伝送のためにデータを符号化する符号化器、符号化データから一組のビットを取除くために間引きパターンによって符号化データを間引くデバイス、間引き符号化データを伝送する送信器を含み、そこでは間引き符号化データの一部はデータ・トーンの集合から離れた一組の保護トーンの少なくとも一部を使用して伝送される。
【００２４】
開示の新規の特徴と信じられる特性は付加された請求項において示される。しかしながら、開示そのもの、同様に使用の好ましい様式、さらなる対象及びその利点は付随の図と併せて読まれるとき例示の形態の次の詳細な記述の参照によって最もよく理解されるであろう。
【図面の簡単な説明】
【００２５】
【図１】典型ＯＦＤＭ信号を例示する；
【図２】周波数領域における主要（main）及び側（side）チャネル間の関係を例示する；
【図３】本開示の或る形態による逆高速フーリエ変換（ＩＦＦＴ）を例示する；
【図４】無線データを伝送する方法を例示する；
【図５】本開示の或る形態による送信器のブロック図を例示する；
【図６】本開示の或る形態による典型間引きパターン（Ｒ＝１/２）を例示する；
【図７】本開示の或る形態による典型間引きパターン（Ｒ＝５/８）を例示する；
【図８】本開示の或る形態による典型間引きパターン（Ｒ＝３/４）を例示する；
【図９】本開示の或る形態による典型間引きパターン（Ｒ＝２/３）を例示する；
【図１０】本開示の或る形態による典型間引きパターン（Ｒ＝４/５）を例示する；
【図１１】本開示の或る形態による典型間引きパターン（好ましくはＲ＝４/５）を例示する；
【図１２】本開示の或る形態による典型間引きパターン（好ましくはＲ＝８/１１）を例示する；
【図１３】本開示の或る形態による条件付間引きパターン（条件付のＲ＝８/１１）、データ間引きパターン、及び保護トーン間引きパターンを例示する；
【図１４】本開示の或る形態による条件付間引きパターン（条件付でＲ＝２５/４４）、データ間引きパターン、及び保護トーン間引きパターンを例示する；
【図１５】本開示の或る形態による条件付間引きパターン（条件付でＲ＝１５/２２）、データ間引きパターン、及び保護トーン間引きパターンを例示する；
【図１６】本開示の或る形態による条件付間引きパターン（条件付でＲ＝２０/３３）、データ間引きパターン、及び保護トーン間引きパターンを例示する；
【図１７】本開示の或る形態による条件付間引きパターン（条件付でＲ＝８/１１）、データ間引きパターン、及び保護トーン間引きパターンを例示する；
【図１８】本開示の或る形態によりデータ転送率を増加させ、且つ信頼性を改善するためにＯＦＤＭシステムにおいて保護トーンを使用するための典型操作を例示する。
【図１８Ａ】図１８に例示された操作を行うことが可能な典型構成要素を例示する。
【発明を実施するための形態】
【００２６】
発明の様々な形態は付随の図に関して以下でさらに十分に述べられる。しかしながら、この発明は多くの異なる形で具体化され、そしてこの開示の至る所で提示されるあらゆる特定の構造または機能に制限されるとして解釈されるべきでない。むしろ、これらの形態はこの開示が徹底的、且つ完全であり、そして発明の範囲を当業者に十分に伝達するために提供される。ここに教示に基づいて、当業者は発明の範囲が発明の他の形態とは無関係に実施され、或いは組合せられたか否かに拘らず、ここに開示された発明のあらゆる形態を網羅することを意図していると認識すべきである。例えば、ここに示された多数の形態を用いて装置は実装され、或いは方法は実行される。その上、発明の範囲は他の構造、機能性、またはここに示した発明の様々な形態に加えて、或いはそれとは別の構造及び機能
性を用いて実行されるそのような装置または方法を網羅することを意図している。ここに開示された発明のあらゆる形態は請求項の一以上の要素によって具体化されることを理解すべきである。
【００２７】
図２は周波数領域における主及び側チャネル間の関係を例示する。保護トーン２０１、２０２は周波数領域における主データ及びパイロット・トーン２１０のそばでデータを変調する。実際に、保護トーンは、デバイスをデータ・トーン及びパイロット・トーンの標準仕様に非準拠にすることなく、ネットワークにおいて二つのデバイス間で情報を通信するチャネルと見なされる。
【００２８】
保護トーンは設計を注文制作（customizing）する際に開発者による使用のために標準規格によって公開されているビットである。図２に例示した例では、保護トーン２０１、２０２は標準データ及びパイロット・トーンによって占有された周波数の完全に外にある。
【００２９】
図３は本開示の或る形態による逆高速フーリエ変換（ＩＦＦＴ）を例示する。ＩＦＦＴ ３１０に入力される主データ要素は標準データ３０１、パイロット・トーン３０２、及び保護トーン３０３である。標準データ３０１は信号の情報内容を含む。パイロット・トーン３０２は信号の位相に関して受信器に通知するために使用される既知のトーンである。パイロット・トーンは位相オフセット・トラッキング及び訂正のために使用され、その中で参照パイロット・トーンの位相が受信器におけるあらゆる位相オフセットを推定し、且つ訂正するために受信トーンと比較され、斯くして送信器と受信器との間のあらゆるクロック不整合（mismatch）を訂正する。
【００３０】
保護トーン３０３はＷｉＭｅｄｉａまたはＥＣＭＡ-３６８/３６９において定義されたそれらと類似し、それは参照によってここに組込まれている。標準規格では周波数帯域のどちらか一方の端に位置するに１０個の保護トーンがある。これらのトーンはそれらの上で伝送されるが、それらの上で変調されるのはいくつかのデータ・トーンの複製（コピー）である。本開示は無線通信の信頼性を増加させるためにこれらの保護トーンか、またはその部分集合を使用する。
【００３１】
図４は無線データを伝送する方法を例示する。データは符号転送率（code rate）ａで符号化器/間引き器４０１に入力される。符号転送率はある符号化器サイクルにおいて符号化器によって出力されるチャネル・シンボルの数ｎに対する符号化器に入力されるビットの数ｋの比率として表される。
【００３２】
間引き符号は高い符号転送率（即ち、ｎに対するｋの大きな比率）を達成する一般の方法である。間引き符号は転送率１/ｎ符号化器を使用して最初にデータを符号化し、そしてそこで符号化器の出力におけるいくつかのチャネル・シンボルを削除することによって造られる。チャネル出力シンボルを削除するこのプロセスは間引き（puncturing）と呼ばれる。
【００３３】
例えば、転送率１/２符号から転送率３/４を造るために、次の間引きパターンに従ってチャネル・シンボルを削除する：
【数１】
0005722359.tif 000002
【００３４】
但し、「１」はチャネル・シンボルが伝送されることを示し、そして「０」はチャネル・シンボルが削除されることを示す。いかにこれが転送率３/４を作るかを理解するために、各列（column）を符号化器に入力されるビットに対応するとして考え、表における各「１」を出力チャネル・シンボルに対応するとして考える。表には３個の列、及び４個の「１」がある。
【００３５】
間引き符号はインタリーブ器４０２に入力され、そしてパッド・ビットが必要ならば加えられる。そこから、その符号はマッピング器（mapper）４０３によって物理的伝送信号にマッピングされる。
【００３６】
本開示の或る形態について、ここに下記で論じられるようにデータ・トーン上でＷｉＭｅｄｉａデータ・フローを保持している間に、逆間引きビットは保護トーン上で利用される。
【００３７】
図１８は本開示の或る形態に従ってデータ転送率を増加させ、且つ信頼性を改善するためにＯＦＤＭシステムにおいて保護トーンを使用するための典型操作を例示する。１８０２で、送信器は無線ＯＦＤＭ信号について一組（a set）の保護トーンを確認或いは識別(identifying)する。１８０４で、送信器はＯＦＤＭ伝送のためにデータを符号化する。１８０６で、送信器は符号化データを間引くために好ましい間引きパターンを確認或いは識別する。１８０８で、送信器は好ましい間引きパターンで符号化データを間引く。１８１０で、送信器は間引き符号化データを伝送し、その中で間引き符号化データの一部は保護トーンの集合の一部分の上で伝送される。
【００３８】
図５は本開示の或る形態による多周波帯ＯＦＤＭ（直交周波数分割多重化）通信システムにおいて実施される送信器５００のブロック図を例示する。送信器５００はいくつかのＰＨＹコア５０１が１６ＱＡＭコンスタレーションに複製され、且つ写像される並行ビット-インタリーブ畳込み符号（bit-interleaved convolutional code：ＢＩＣＣ）構造を含む。この複製（duplication）はＷｉＭｅｄｉａ ＰＨＹ層によって支援されたものより高いデータ転送率を可能にする。送信器５００は２元畳込み符号（binary convolutional code：ＢＣＣ）符号化器５０２、間引きモジュール５０４、ＷｉＭｅｄｉａインタリーブ器５０６、マッピング器５０８、及び逆高速フーリエ変換器（ＩＦＦＴ）５１０を含む。
【００３９】
ＢＣＣ符号化器５０２は入力ビットを受取り、そして符号化データを生成するために畳込んで入力ビットを符号化する。間引きモジュール５０４は選択された間引きパターン（例えば、間引き行列）によって符号化データを間引き、そしてこのようにして伝送ビットの数を低減し、且つ符号化率を増加させる。間引きパターンは並行に二つの個別の間引きパターン（例えば、データ間引きパターン及び保護間引きパターン）を含み、そしてもたらされた符号を最適化するために使用される。即ち、符号化データは（データ・トーンにマッピングするために）データ間引きパターンによって間引かれ、そして並行に、（保護トーンにマッピングするために）保護間引きパターンによって間引かれる。
【００４０】
間引きモジュール５０４のデータ間引きパターンの出力はＷｉＭｅｄｉａ標準規格において指定されたようにビット・インタリーブのためにＷｉＭｅｄｉａインタリーブ器５０６に提供される。例えば、ＷｉＭｅｄｉａ標準規格はビット・インタリーブが三段階：６ＯＦＤＭシンボル・ブロック・インタリーブ器、トーン内部ＯＦＤＭシンボル・ブロック・インタリーブ器、及び内部トーン巡回シフト器で行われるように指定する。同じく、間引きモジュール５０４の保護間引きパターンの出力は保護インタリーブ器５１１に提供される。保護インタリーブ器５１１は三段階インタリーブ器を含むＷｉＭｅｄｉａインタリーブ器５０６に類似している。しかしながら、保護インタリーブ器５１１とＷｉＭｅｄｉａインタリーブ器５０６との間の相違は各ブロックのサイズ及び巡回シフト値を含む。例えば、６ＯＦＤＭシンボル・ブロック・インタリーブ器は２０ビット（６＊２０ビット）のブロック・サイズを持つ。保護トーン・インタリーブ器は５ビット（４＊５ビット）のブロック・サイズを持つ。巡回シフト器は（最高のＷｉＭｅｄｉａ転送率の３３と比べると）シフト値３を持つ。
【００４１】
ＷｉＭｅｄｉａインタリーブ器５０６と保護インタリーブ器５１１の出力は符号化及びインタリーブされたデータ系列をグレイ（Gray）符号コンスタレーションマッピングに従って複素コンスタレーション（complex constellation）、例えば、ＱＰＳＫ（四元位相シフト・キーイング）シンボル、１６ＱＡＭシンボルにマッピングするために動作するマッピング器５０８に提供される。その上、前述のように、送信器５００はいくつかのＰＨＹコア５０１が１６ＱＡＭコンスタレーションに複製され、そしてマッピングされる並行ビット-インタリーブ畳込み符号（ＢＩＣＣ）構造を含む。この複製はＷｉＭｅｄｉａ ＰＨＹ層によって現在支援されたものより高いデータ転送率を可能にする。従って、送信器５００はさらにＢＣＣ符号化器５１２（符号化器５０２に類似する）、間引きモジュール５１４（間引きモジュール５０４に類似する）、ＷｉＭｅｄｉａインタリーブ器５１６（ＷｉＭｅｄｉａインタリーブ器５０６に類似する）、及び保護インタリーブ器５２１（保護インタリーブ器５１１に類似する）を含む。ＷｉＭｅｄｉａインタリーブ器５１６及び保護インタリーブ器５２１の出力はまた複素コンスタレーションへマッピングするためにマッピング器５０８へ提供される。
【００４２】
一旦、マッピングされると、それらのシンボルはシンボルの領域を時間領域に変換するためにＩＦＦＴ ５１０へ提供される。変換されたシンボルは高周波チャネル上で伝送のために処理され、そして変調される。送信器５００はＤ/Ａ変換器及び高周波（ＲＦ）モジュールといった様々な他の構成要素または機能を含むが、送信器の図は開示の形態をよりよく理解するために単純化されていることが理解される。
【００４３】
ＷｉＭｅｄｉａ仕様はＲ＝１/２、Ｒ＝５/８及びＲ＝３/４の符号化率を造る間引きパターンを使用する。これらは図６〜８にそれぞれ例示される。その上、他の望ましい符号化率はＲ＝２/３及びＲ＝４/５を含む。図９及び１０はこれらの符号化率Ｒ＝２/３及びＲ＝４/５について好ましい間引きパターン（最小自由距離に関して）をそれぞれ例示する。
【００４４】
ＷｉＭｅｄｉａデータ・フロー（保護トーン複製）内の並行ＢＩＣＣ構造（図５）において使用されるとき、ＷｉＭｅｄｉａ間引きパターン（Ｒ＝１/２、Ｒ＝５/８、Ｒ＝３/４）は６４０Ｍｂｐｓ、８００Ｍｂｐｓ、９６０Ｍｂｐｓのデータ転送率をそれぞれ造る。その上、ＷｉＭｅｄｉａデータ・フロー内の好ましいＲ＝２/３及びＲ＝４/５は８５３．３Ｍｂｐｓ及び１０２４Ｍｂｐｓのデータ転送率をそれぞれ造る。
【００４５】
しかしながら、一般に、保護トーンが符号化ビットを運ぶならば、データ・トーンの単純な複製を使用するよりも、さらに強固なシステムが取得される。ＷｉＭｅｄｉａ準拠ＯＦＤＭシステムでは１０個の保護トーンがあるので、システムが符号化データのために１００トーンだけを使用したならば、さらに１０％の符号化データがこれらのトーン上に置かれる。有効な間引き率は次の表に従って変更される：
【表１】
0005722359.tif 000003
【００４６】
新しい有効な間引きパターンを定義する一つの方法は好ましい間引きパターンを捜すことである（例えば、最小自由距離及び/または最近傍に関して）。図１１及び１２はＲ＝５/１１及びＲ＝８/１１に関するそのようなパターンの例を例示する。
【００４７】
しかしながら、「有効な（effective）」（最適よりは多分下回るが）間引き率を達成するためのさらに実用的な方法は基本（base）としてＷｉＭｅｄｉａ（Ｒ＝１/２、Ｒ＝５/８、Ｒ＝３/４）（図６〜８）または好ましい（Ｒ＝２/３、Ｒ＝４/５）（図９〜１０）間引きパターンを使用し、そしてこの基本の上位集合である適格なパターンを造ることである。特に、基本パターンがＮ回複製されるならば、実効転送率はいくつかの以前に間引きされたビットを逆間引きすることによって造られる。最終効果は基本及び保護トーン・パターン（それはデータ・パターンからのいくつかの廃棄ビットを使用する）から変わらないデータ・トーン・パターンを持つことである。これらの「適格な（qualified）」パターン、及びデータ・パターン（ＷｉＭｅｄｉａ/好ましい基本から変わらない）及び保護パターンへの分解（breakdown）は図１３〜１７に例示される。これらの間引きパターン（図１３〜１７）の列に関する回転は同じ最小自由距離性質を持つ等価な間引きパターンになることに注目されたい。
【００４８】
例えば、図１３には、本開示の或る形態による有効な間引き率Ｒ＝５/１１を達成するために使用される適格な間引きパターン１３０２が例示される。適格な間引きパターン１３０２は図６に例示された基本パターンＰ＝［１；０；１］（例えば、ＷｉＭｅｄｉａ Ｒ＝１/２間引きパターン）を５回複製し、そしてそこで以前に間引かれたビットの一つ１３０３を逆間引きすることによって生成される。従って、最終効果は基本パターンから変わらないデータ間引きパターン１３０４及びデータ・パターンから以前に間引かれた、或いは廃棄されたビットの一つ１３０８を使用する保護間引きパターン１３０６になる。
【００４９】
図１３〜１７に例示された適格な間引きパターンは様々な基準に基づいて最適化される。これらの基準は最小自由距離を最大化すること、及び最近傍の数を最小化することを含む。好ましい適格な間引きパターンの自由距離及び最近傍プロフィールは下記で論じられる。
【００５０】
本開示の或る形態に関して、適格なＲ＝５/１１間引きパターン（図１３）の自由距離及び最近傍プロフィールは次のように選択される、但しｄ＝自由距離、ＮＮ＝最近傍、Ｐｂｓｅｔ＝好ましい間引きパターン、ｄｉｓｔ_ｐｒｏｆｉｌｅ＝距離プロフィール、そしてＮＮ行列（matrix）は様々な位相に対応する。
【数２】
0005722359.tif 000004
【００５１】
本開示の或る形態に関して、適格なＲ＝８/１１間引きパターン（図１７）の自由距離及び最近傍プロフィールは次のように選択される、但しｄ＝自由距離、ＮＮ＝最近傍、Ｐｂｓｅｔ＝好ましい間引きパターン、ｄｉｓｔ_ｐｒｏｆｉｌｅ＝距離プロフィール、そしてＮＮ行列は様々な位相に対応する。
【数３】
0005722359.tif 000005
【００５２】
本開示の或る形態に関して、適格なＲ＝１５/２２間引きパターン（図１５）の自由距離及び最近傍プロフィールは次のように選択される、但しｄ＝自由距離、ＮＮ＝最近傍、Ｐｂｓｅｔ＝好ましい間引きパターン、ｄｉｓｔ_ｐｒｏｆｉｌｅ＝距離プロフィール、そしてＮＮ行列は様々な位相に対応する。
【数４】
0005722359.tif 000006
【００５３】
本開示の或る形態に関して、適格なＲ＝１５/２２間引きパターン（図１５）の自由距離及び最近傍プロフィールは次のように選択される、但しｄ＝自由距離、ＮＮ＝最近傍、Ｐｂｓｅｔ＝好ましい間引きパターン、ｄｉｓｔ_ｐｒｏｆｉｌｅ＝距離プロフィール、そしてＮＮ行列は様々な位相に対応する。
【数５】
0005722359.tif 000007
【００５４】
図１３〜１７に例示した適格な間引きパターンは単なる例であること、そして多数の他の間引きパターンは他の様々な基準に従って使用されることが理解される。
【００５５】
現在のＷｉＭｅｄｉａ ＰＨＹ層実施において、保護トーンはデータ・トーンの部分集合を複製する。その結果、受信器は保護トーン（これを「システムＡ」と呼ぶ）を潜在的に無視し、そして信号対雑音比（ＳＮＲ）が十分に高ければ、パケットをなお復号する。代りに、受信器は保護トーンに関する複製情報を使用し、そしてその性能（これを「システムＡ」と呼ぶ）を改善する（例えば、低ＳＮＲで同じパケットを復号する）。大きな信頼性を達成する次世代ＰＨＹ層実施のための優雅な方法は現存するデータ・フローの中に留まることである。
【００５６】
しかしながら、データ・トーンの単純な複写の代りに、逆間引きビット（高い転送率符号を造るために通常廃棄される符号化データ）をマッピングすることはトーン複製を保護するより更に強固なシステムをもたらす。実際、受信器における同じ性質が保持され、保護トーンは性能の基本線レベル（これを「システムＣ」と呼ぶ）を造るために無視され、そして高い性能の受信器（れを「システムＤ」と呼ぶ）を造るために使用される。本開示の唯一の特質はデータ・トーン上のデータ・フローが基本線「システムＡ」と互換性があることである。これは現在のＷｉＭｅｄｉａ ＰＨＹ層仕様への自然な拡張を可能にし、そして次世代ＷｉＭｅｄｉａ ＰＨＹ層仕様が必要とする高いデータ転送率における信頼性改善を可能にする。
【００５７】
現在の開示で提案したシステムでは、データは二つの別個の間引きパターン（例えば、データ間引きパターン及び保護間引きパターン）によって並行に間引かれると考えられる。データ間引きパターンの出力は第一インタリーブ器を通して宛がわれ、そしてデータ・トーンにマッピングされる。その結果、「システムＡ」、「システムＢ」、「システムＣ」及び「システムＤ」のデータ・トーンの内容は同じである。保護間引きパターンの出力は第二インタリーブ器を通して宛がわれ、それから保護トーンにマッピングされる。保護トーン上で運ばれる符号化ビット（それはデータ・パターンからの一以上の廃棄ビットを含む）は「システムＤ」のような高い性能の受信器を造るために使用される。さらに、いくつかのＰＨＹコアが複製され、そして１６ＱＡＭコンスタレーションにマッピングされる並行ビット-インタリーブ畳込み符号（ＢＩＣＣ）を使用することは現在ＷｉＭｅｄｉａ ＰＨＹ層によって支援されているものより高いデータ転送率を可能にする。
【００５８】
上で述べた方法の様々な操作は対応する機能を実行することが可能なあらゆる適切な手段によって行われる。その手段は回路、用途特定集積回路（ＡＳＩＣ）、またはプロセッサーを含め、或いはそれに制限されない、様々なハードウェア及び/またはソフトウェア構成要素を含む。一般に、図に例示した操作がある場合に、それらの操作は同じ番号の対応する対照物手段プラス機能構成要素を持つ。例えば、図１８に例示したブロック１０８２〜１８１０は図１８Ａに例示した回路ブロック１８０２Ａ〜１８１０Ａに対応する。
【００５９】
ここに使用したように、用語「決定する（determining）」は多種多様な行為を包含する。例えば、「決定する（determining）」は計算する（calculating）、計算する（computing）、処理する（processing）、導く（deriving）、調査する（investigating）、検索する（looking up）（例えば、表、データベース、または別のデータ構造において検索する）、確かめる（ascertaining）等々を含む。同じく、「決定する（determining）」は受取る（receiving）（例えば、情報を受取る）、アクセスする（accessing）（例えば、メモリーのデータにアクセスする）等々を含む。同じく、「決定する（determining）」は解決する（resolving）、選択する（selecting）、選択する（choosing）、確立する（establishing）等々を含む。
【００６０】
上で述べた方法の様々な操作は様々なハードウェア及び/またはソフトウェア構成要素、回路、及び/またはモジュールといった、操作を行うことが可能なあらゆる適切な手段によって実行される。一般に、図に例示したあらゆる操作は操作を行うことが可能な対応する機能的手段によって実行される。
【００６１】
本開示に関連して述べた様々な例示の論理ブロック、モジュール、及び回路はここに述べた機能を実行するために設計された多目的プロセッサー、ディジタル信号プロセッサー（ＤＳＰ）、特定用途向け集積回路（ＡＳＩＣ）、フィールド・プログラマブル・ゲートアレイ（ＦＰＧＡ）または他のプログラマブル論理デバイス（ＰＬＤ）、個別ゲートまたはトランジスター論理、個別ハードウェア部品、またはそのあらゆる組合せによって実施または実行される。多目的プロセッサーはマイクロプロセッサーであるが、これに代るものでは、プロセッサーはあらゆる商業的に利用可能なプロセッサー、コントローラー、マイクロコントローラー、または状態機械である。プロセッサーはまた計算デバイスの組合せ、例えば、ＤＳＰとマイクロプロセッサーの組合せ、複数のマイクロプロセッサー、ＤＳＰコアと連係した一以上のマイクロプロセッサー、または他のそのようなあらゆる構成として実施される。
【００６２】
本開示に関連して述べた方法またはアルゴリズムのステップは直接ハードウェアにおいて、プロセッサーによって実行されるソフトウェア・モジュールにおいて、またはその二つの組合せにおいて具体化される。ソフトウェア・モジュールは当技術分野において既知のあらゆる形の格納メディアに在駐する。使用される格納メディアのいくつかの例はランダム・アクセス・メモリー（ＲＡＭ）、読出し専用メモリー（ＲＯＭ）、フラッシュ・メモリー、ＥＰＲＯＭメモリー、ＥＥＰＲＯＭメモリー、レジスタ、ハード・ディスク、交換可能ディスク、ＣＤ-ＲＯＭ、等々を含む。ソフトウェア・モジュールは単一命令、または多数命令を含み、そしていくつかの異なるコード・セグメント上、異なるプログラム中、及び多数の格納メディアにわたって分散される。格納メディアはプロセッサーが格納メディアから情報を読出し、そして格納メディアへ情報を書込むためにプロセッサーへ連結される。これに代るものでは、格納メディアはプロセッサーへ一体化される。
【００６３】
ここに開示した方法は記述した方法を達成するために一以上のステップまたは行為を含む。方法ステップ及び/または行為は請求項の範囲から逸脱することなく相互に交換される。即ち、ステップまたは行為の特定の順序は指定されない限り、特定のステップ及び/または行為の順序及び/または使用は請求項の範囲から逸脱することなく修正される。
【００６４】
記述した機能はハードウェア、ソフトウェア、ファームウェア、またはそのあらゆる組合せにおいて実施される。ソフトウェアにおいて実施されるならば、その機能はコンピューター可読メディア上に一以上の命令として格納される。格納メディアはコンピューターによってアクセスされるあらゆる利用可能なメディアである。例として、制限ではなく、そのようなコンピューター可読メディアはＲＡＭ、ＲＯＭ、ＥＥＰＲＯＭ、ＣＤ-ＲＯＭまたは他の光ディスク格納、磁気ディスク格納または他の磁気格納デバイス、または命令またはデータ構造の形で所望のプログラム・コードを運び、または格納し、そしてコンピューターによってアクセスされる他のあらゆるメディアを含む。ここに使用されるディスク及びディスク類はコンパクト・ディスク（ＣＤ）、レーザー・ディスク、光ディスク、ディジタル多用途ディスク（ＤＶＤ）、フロッピー（登録商標）・ディスク、及び、ブルーレイ（登録商標）・ディスクを含み、そこではディスクは通常磁気によってデータを再生し、一方、ディスクはレーザによって光学的にデータを再生する。
【００６５】
このように、ある形態はここに提示された操作を実行するためのコンピューター・プログラム製品を含む。例えば、そのようなコンピューター・プログラム製品はその上に格納された（且つ/または符号化された）命令を持つコンピューター可読メディアを含み、その命令はここに述べた操作を実行する一以上のプロセッサーによって実行可能である。或る形態に関して、コンピューター・プログラム製品はパッケージ化機材を含む。
【００６６】
ソフトウェアまたは命令はまた伝送メディア上で伝送される。例えば、ソフトウェアが同軸ケーブル、光ファイバー・ケーブル、撚り対線（twisted pair）、ディジタル加入者回線（ＤＳＬ）、或いは赤外線、高周波、及びマイクロ波といった無線技術を使用してウェブサイト、サーバー、または遠隔源から伝送されるならば、同軸ケーブル、光ファイバー・ケーブル、撚り対線、ＤＳＬ、或いは赤外線、高周波、及びマイクロ波といった無線技術はメディアの定義に含まれる。
【００６７】
ここに述べた方法及び技術を実行するためのモジュール及び/または他の適切な手段はダウンロードされ、且つ/または他の場合には適用可能なユーザー端末及び/または基地局によって取得される。例えば、そのようなデバイスはここに述べた方法を実行する手段の移動を容易にするためにサーバーと連結される。代りに、ここに述べた様々な方法はユーザー端末及び/または基地局が格納手段をデバイスに連結または提供する際に様々な方法を取得できるように格納手段（例えば、ＲＡＭ、ＲＯＭ、コンパクト・ディスク（ＣＤ）またはフロッピー・ディスクのような物理的格納メディア等）を介して提供される。さらに、ここに述べた方法及び技術をデバイスに提供するための他の適切な技術が利用される。
【００６８】
請求項は上に例示した正確な形状及び構成要素に制限されないことを理解すべきである。様々な修正、変更及び変形は請求項の範囲から逸脱することなく上で述べた方法及び装置の配置、操作及び詳細において行われる。
以下に本件出願当初の特許請求の範囲に記載された発明を付記する。
(１)  無線通信システムにおいてデータ転送率を増加させ、且つ信頼性を改善するための方法で、
無線直交周波数分割多重化（ＯＦＤＭ）信号について保護トーンのセットを確認すること、
ＯＦＤＭ伝送のためのデータを符号化すること、
符号化データを間引くために好ましい間引きパターンを確認すること、
符号化データを好ましい間引きパターンで間引くこと、及び
間引き符号化データ伝送すること、ここで前記間引き符号化データの一部は保護トーンのセットの一部分の上で伝送される、
を含む方法。
(２)  前記符号化データを間引くために好ましい間引きパターンを確認することは、
第一間引きパターンを確認すること、
第二間引きパターンを確認すること、
符号化データを第一間引きパターンによって間引くこと、及び
符号化データを第二間引きパターンによって間引くこと、
を含み、そして
前記第一間引きパターンによって間引かれた符号化データの一部は保護トーンの集合の一部分の上で伝送さる、且つ
前記第二間引きパターンによって間引かれた符号化データの一部はデータ・トーンの集合の一部分の上で伝送される、
(１)記載の方法。
(３)  前記ＯＦＤＭ伝送のためにデータを符号化することは第一符号化器及び第二符号化器によってデータを符号化することを含む、
前記符号化データを好ましい間引きパターンで間引くことは第一符号化器からの符号化データを間引くこと、及び第二符号化器からの符号化データを間引くことを含む、そして
前記間引き符号化データを伝送することは第一符号化器からの間引き符号化データ及び第二符号化器からの間引きデータを保護トーンの集合の一部分の上で伝送することを含む、
(１)記載の方法。
(４)  一組のデータ・トーンを使用して直交周波数分割多重化（ＯＦＤＭ）伝送のためのデータを符号化すること、
符号化データから一組のビットを取除くために符号化データを間引きパターンで間引くこと、及び
間引き符号化データを伝送すること、ここで前記間引き符号化データの一部はデータ・トーンの集合から分離した一組の保護トーンの少なくとも一部を使用して伝送される、
を含む、無線通信のための方法。
(５)  前記間引き符号化データの一部は間引きを介して符号化データから除去されたシンボルを含む、(４)記載の方法。
(６)  前記符号化データから一組のシンボルを取除くために符号化データを間引きパターンで間引くことは、
基本間引きパターンの上位集合を含む適格な間引きパターンを生成すること、及び
符号化データを適格な間引きパターンで間引くこと、
を含む、(４)記載の方法。
(７)  前記基本間引きパターンは第一の所定間引き率に対応する、そして
前記適格な間引きパターンは第一の所定間引き率より少ない第二の所定間引き率に対応する、(６)記載の方法。
(８)  前記基本間引きパターンの上位集合を含む適格な間引きパターンを生成することは、
一以上の間引きパターンに関する自由距離及び最近傍プロフィールの少なくとも一つを決定すること、及び
決定に基づいて間引きパターンを適格な間引きパターンとして選択すること、
を含む、(６)記載の方法。
(９)  無線直交周波数分割多重化（ＯＦＤＭ）信号について一組の保護トーンを確認するための識別器、
ＯＦＤＭ伝送のためのデータを符号化するための符号化器、
符号化データを間引くために好ましい間引きパターンを確認するための識別器、
符号化データを好ましい間引きパターンで間引くためのデバイス、及び
間引き符号化データ伝送するための送信器、ここで前記間引き符号化データの一部は保護トーンの集合の一部分の上で伝送される、
を具備する、無線通信システムにおいてデータ転送率を増加させ、且つ信頼性を改善するための装置。
(１０)  前記符号化データを間引くために好ましい間引きパターンを確認するための識別器は：
第一の間引きパターンを確認するための識別器、
第二の間引きパターンを確認するための識別器、
符号化データを第一の間引きパターンで間引くためのデバイス、及び
符号化データを第二の間引きパターンで間引くためのデバイス、
を含み、そして
前記第一の間引きパターンで間引かれた符号化データの一部は保護トーンの集合の一部分の上で伝送される、そして
前記第二の間引きパターンで間引かれた符号化データの一部はデータ・トーンの集合の一部分の上で伝送される、(９)記載の装置。
(１１)  前記ＯＦＤＭ伝送のためにデータを符号化するための符号化器は第一符号化器及び第二符号化器によってデータを符号化するための符号化器を含む、
前記符号化データを好ましい間引きパターンで間引くためのデバイスは第一符号化器からの符号化データを間引くための回路、及び第二符号化器からの符号化データを間引くための回路を含む、そして
間引き符号化データを伝送するための送信器は第一符号化器からの間引き符号化データ及び第二符号化器からの間引きデータを保護トーンの集合の一部分の上で伝送するための送信器を含む、(９)記載の装置。
(１２)  一組のデータ・トーンを使用して直交周波数分割多重化（ＯＦＤＭ）伝送のためのデータを符号化するための符号化器、
符号化データから一組のビットを取除くために符号化データを間引きパターンで間引くためのデバイス、及び
間引き符号化データを伝送するための送信器（間引き符号化データの一部はデータ・トーンの集合から分離した一組の保護トーンの少なくとも一部を使用して伝送される）
を具備する、無線通信のための装置。
(１３)  間引き符号化データの一部は間引きを介して符号化データから除去されたシンボルを含む、(１２)記載の装置。
(１４)  符号化データから一組のシンボルを取除くために符号化データを間引きパターンで間引くためのデバイスは、
基本間引きパターンの上位集合を含む適格な間引きパターンを生成するための生成器、及び
符号化データを適格な間引きパターンで間引くための回路、を含む、(１２)記載の装置。
(１５)  基本間引きパターンは第一の所定間引き率に対応する、そして
適格な間引きパターンは第一の所定間引き率より少ない第二の所定間引き率に対応する、
(１４)記載の装置。
(１６)  基本間引きパターンの上位集合を含む適格な間引きパターンを生成するための生成器は、
一以上の間引きパターンに関する自由距離及び最近傍プロフィールの少なくとも一つを決定するためのデバイス、及び
決定に基づいて間引きパターンを適格な間引きパターンとして選択するための選択器、
を含む、(１４)記載の装置。
(１７)  無線直交周波数分割多重化（ＯＦＤＭ）信号について一組の保護トーンを確認するための手段、
ＯＦＤＭ伝送のためのデータを符号化するための手段、
符号化データを間引くために好ましい間引きパターンを確認するための手段、
符号化データを好ましい間引きパターンで間引くための手段、及び
間引き符号化データ伝送するための手段、ここで前記間引き符号化データの一部は保護トーンの集合の一部分の上で伝送される、
を具備する、無線通信システムにおいてデータ転送率を増加させ、且つ信頼性を改善するための装置。
(１８)  符号化データを間引くために好ましい間引きパターンを確認するための手段は、
第一の間引きパターンを確認するための手段、
第二の間引きパターンを確認するための手段、
符号化データを第一の間引きパターンで間引くための手段、及び
符号化データを第二の間引きパターンで間引くための手段、
を含み、そして
第一の間引きパターンで間引かれた符号化データの一部は保護トーンの集合の一部分の上で伝送される、そして
第二の間引きパターンで間引かれた符号化データの一部はデータ・トーンの集合の一部分の上で伝送される、(１７)記載の装置。
(１９)  ＯＦＤＭ伝送のためにデータを符号化するための手段は第一符号化器及び第二符号化器によってデータを符号化するための手段を含む、
符号化データを好ましい間引きパターンで間引くための手段は第一符号化器からの符号化データを間引き、且つ第二符号化器からの符号化データを間引くための手段を含む、そして
間引き符号化データを伝送するための手段は第一符号化器からの間引き符号化データ及び第二符号化器からの間引きデータを保護トーンの集合の一部分の上で伝送するための手段を含む、(１７)記載の装置。
(２０)  一組のデータ・トーンを使用して直交周波数分割多重化（ＯＦＤＭ）伝送のためのデータを符号化するための手段、
符号化データから一組のビットを取除くために符号化データを間引きパターンで間引くための手段、及び
間引き符号化データを伝送するための手段、ここで間引き符号化データの一部はデータ・トーンの集合から分離した一組の保護トーンの少なくとも一部を使用して伝送される、
を具備する、無線通信のための装置。
(２１)  間引き符号化データの一部は間引きを介して符号化データから除去されたシンボルを含む、(２０)記載の装置。
(２２)  符号化データから一組のシンボルを取除くために符号化データを間引きパターンで間引くための手段は、
基本間引きパターンの上位集合を含む適格な間引きパターンを生成するための手段、及び
符号化データを適格な間引きパターンで間引くための手段
を含む、(２０)記載の装置。
(２３)  基本間引きパターンは第一の所定間引き率に対応する；そして
適格な間引きパターンは第一の所定間引き率より少ない第二の所定間引き率に対応する、
(２２)記載の装置。
(２４)  基本間引きパターンの上位集合を含む適格な間引きパターンを生成するための手段は、
一以上の間引きパターンに関する自由距離及び最近傍プロフィールの少なくとも一つを決定するための手段、及び
決定に基づいて間引きパターンを適格な間引きパターンとして選択するための手段
を含む、(２２)記載の装置。
(２５)  無線直交周波数分割多重化（ＯＦＤＭ）信号について一組の保護トーンを確認する、ＯＦＤＭ伝送のためのデータを符号化する、
符号化データを間引くために好ましい間引きパターンを確認する、
符号化データを好ましい間引きパターンで間引く、そして
間引き符号化データ伝送する、ここで前記間引き符号化データの一部は保護トーンの集合の一部分の上で伝送される、
ために実行可能な命令によって符号化されたコンピューター可読メディアを含む、無線通信システムにおいてデータ転送率を増加させ、且つ信頼性を改善するための無線通信のためのコンピューター・プログラム製品。
(２６)  一組のデータ・トーンを使用して直交周波数分割多重化（ＯＦＤＭ）伝送のためのデータを符号化する、
符号化データから一組のビットを取除くために符号化データを間引きパターンで間引く、及び
間引き符号化データを伝送する、ここで前記間引き符号化データの一部はデータ・トーンの集合から分離した一組の保護トーンの少なくとも一部を使用して伝送される、
ために実行可能な命令によって符号化されたコンピューター可読メディアを含む、無線通信のためのコンピューター・プログラム製品。
(２７)  少なくとも一つのアンテナ、
無線直交周波数分割多重化（ＯＦＤＭ）信号について一組の保護トーンを確認するための識別器、
ＯＦＤＭ伝送のためにデータを符号化するための符号化器、
符号化データを間引くために好ましい間引きパターンを確認するための識別器、
符号化データを好ましい間引きパターンで間引くためのデバイス、及び
アンテナを介して間引き符号化データを伝送するための送信器、ここで前記間引き符号化データの一部は保護トーンの集合の一部分の上で伝送される、
を具備する、無線通信システムにおいてデータ転送率を増加させ、且つ信頼性を改善するための無線ノード。
(２８)  少なくとも一つのアンテナ、
一組のデータ・トーンを使用して直交周波数分割多重化（ＯＦＤＭ）伝送のためにデータを符号化するための符号化器、
符号化データから一組のビットを取除くために符号化データを間引きパターンで間引くためのデバイス、
アンテナを介して間引き符号化データを伝送するための送信器、ここで前記間引き符号化データの一部はデータ・トーンの集合から分離した一組の保護トーンの少なくとも一部を使用して伝送される、
を具備する、無線通信のための無線ノード。
【図１】
0005722359.tif 000008
【図２】
0005722359.tif 000009
【図３】
0005722359.tif 000010
【図４】
0005722359.tif 000011
【図５】
0005722359.tif 000012
【図６】
0005722359.tif 000013
【図７】
0005722359.tif 000014
【図８】
0005722359.tif 000015
【図９】
0005722359.tif 000016
【図１０】
0005722359.tif 000017
【図１１】
0005722359.tif 000018
【図１２】
0005722359.tif 000019
【図１３】
0005722359.tif 000020
【図１４】
0005722359.tif 000021
【図１５】
0005722359.tif 000022
【図１６】
0005722359.tif 000023
【図１７】
0005722359.tif 000024
【図１８】
0005722359.tif 000025
【図１８Ａ】
0005722359.tif 000026